(57)【特許請求の範囲】
【請求項１】
撮影により得た画像データを記録する第１の記録媒体を装着するための第１の装着部と、
カメラ本体に外部装着される、上記第１の記録媒体より容量が大きな第２の記録媒体及び電池を保持するようになされた増設ユニットを装着するための第２の装着部と、
この第２の装着部への上記増設ユニットの装着を検出する検出手段と、
この検出手段の検出信号に対応し、所定時間毎に上記第１の装着部に装着された第１の記録媒体での記録状態をサーチして、その空き容量が一定値以下となっていた際に、第１の記録媒体に記録されている画像データを上記第２の装着部に装着された増設ユニットに保持された第２の記録媒体に転送させる転送制御手段と
を具備したことを特徴とする電子カメラ。
【請求項２】
上記転送制御手段は、上記第２の装着部に装着された増設ユニットに保持された第２の記録媒体への画像データの転送を確認した後に上記第１の装着部に装着された第１の記録媒体の記録内容を一括消去することを特徴とする請求項１記載の電子カメラ。
【発明の詳細な説明】
【０００１】
【発明の属する技術分野】
本発明は、カメラ本体に記録容量と電源容量とを増加させるための増設ユニットを装着可能な電子カメラに関する。
【０００２】
【従来の技術】
近年、広く一般に普及しつつある電子カメラにおいては、ＣＣＤの開発に伴って画質、すなわち画像データの構成画素数が飛躍的に向上しており、これにしたがって画像データ１枚あたりのデータ量が増大している。
【０００３】
そのため、不揮発性のフラッシュＲＯＭを有するメモリカードが記録媒体の主流となっている現在の電子カメラでは、記録容量に制限があるので、より容量の大きなメモリカードが相次いで開発、販売されるようになっている。
【０００４】
このような状況下にあって、メモリカードに代えて、より大容量の画像データが記録できるハードディスク装置や光磁気ディスク装置を搭載した電子カメラも考えられている。
【０００５】
【発明が解決しようとする課題】
しかしながら、上記ハードディスク装置や光磁気ディスク装置を搭載した電子カメラは、記録媒体が回転部材を有するために、記録／再生毎にこれを回転起動させるための電力が余分に必要となり、容量の大きいバッテリが必須となる。そのため、該大容量の記録媒体も含めて電子カメラ全体が大型化してしまい、気軽に持ち歩くコンパクトタイプの電子カメラには不適であるという不具合があった。
【０００６】
そこで、コンパクトタイプの電子カメラとしてカメラ本体のみを気軽に携帯することができ、また必要により高画質の画像データを撮影して大容量の記録媒体に記録させることもできる、ユーザの所望する状況に応じて使い分けることが可能な電子カメラ用の増設ユニットを用いることも考えられている。しかしながら、このような増設ユニットを装着した場合であっても、撮影した画像データの媒体への記録に要する時間自体はメモリカードの方が圧倒的に短く、特にシャッタチャンスが重要な要因となる撮影においては、メモリカードへの記録の方が有利となる。
【０００７】
本発明は上記のような実情に鑑みてなされたもので、その目的とするところは、回転部材を有するような大容量の記録媒体を増設設定した場合であっても、カメラ本体内に装着する半導体メモリを用いた記録媒体を有効に活用することが可能な電子カメラを提供することにある。
【０００８】
【課題を解決するための手段】
請求項１記載の発明は、撮影により得た画像データを記録する第１の記録媒体を装着するための第１の装着部と、カメラ本体に外部装着される、上記第１の記録媒体より容量が大きな第２の記録媒体及び電池を保持するようになされた増設ユニットを装着するための第２の装着部と、この第２の装着部への上記増設ユニットの装着を検出する検出手段と、この検出手段の検出信号に対応し、所定時間毎に上記第１の装着部に装着された第１の記録媒体での記録状態をサーチして、その空き容量が一定値以下となっていた際に、第１の記録媒体に記録されている画像データを上記第２の装着部に装着された増設ユニットに保持された第２の記録媒体に転送させる転送制御手段とを具備したことを特徴とする。
【０００９】
このような構成とすれば、第２の記録媒体としてＨＤＤ等の大容量記録媒体を有した増設ユニットが接続されている状態で、第１の記録媒体であるメモリカードの記録容量が一定値を超える場合に定期的にその内容を第２の記録媒体に転送させることにより、増設ユニットを装着した後にも継続して第１の記録媒体をより有効に活用することができる。
【００１０】
請求項２記載の発明は、上記請求項１記載の発明において、上記転送制御手段は、上記第２の装着部に装着された増設ユニットに保持された第２の記録媒体への画像データの転送を確認した後に上記第１の装着部に装着された第１の記録媒体の記録内容を一括消去することを特徴とする。
【００１１】
このような構成とすれば、上記請求項１記載の発明の作用に加えて、直ちに第１の記録媒体を用いた次の撮影に対する準備ができる。
【００１４】
【発明の実施の形態】
以下本発明をハードディスク装置を有した増設ユニットを装着可能な電子カメラに適用した場合の実施の一形態について図面を参照して説明する。
【００１５】
図１はその外観構成を示すもので、１がカメラ本体、２がこのカメラ本体に装着する増設ユニットである。
【００１６】
カメラ本体１は、直方体状の金属製筺体の前面に、レンズ鏡筒１１、光学ファインダ窓１２、ＡＦ送光窓１３、ＡＦ受光窓１４、ストロボ発光部１５、及びセルフタイマランプ１６を適宜配設するもので、またその上面には、撮影を指示するためのレリーズスイッチ（ＳＷ）１７、ガイドパネル１８、及び各種モードスイッチ（ＳＷ）１９が設けられる。
【００１７】
ガイドパネル１８は、例えばセグメントタイプの液晶表示パネルで構成され、記録媒体に撮影可能な枚数やその時点で設定している画質モード、その他各種動作状態を数字、アイコン、シンボルマーク等で表示する。
【００１８】
さらに、カメラ本体１の右側面から前面にかけてメモリカードスロットカバー２０が設けられ、このメモリカードスロットカバー２０を手指で開けることにより、このカメラ本体１の記録媒体である、後述するメモリカードを図示しないメモリカードスロットに着脱自在に挿入することができる。
【００１９】
なお、ここでは図示しないが、カメラ本体１の背面には、光学ファインダやカラーＴＦＴ−ＬＣＤパネルによる電子ビューファインダ、電源スイッチ等が配設され、またカメラ本体１の底面には、三脚穴、増設ユニット２取付け用の位置決め穴、コネクタ部等が配設される。
【００２０】
一方、増設ユニット２は、カメラ本体１を載置して取付けるための平板状のフラット部２ａと、カメラ本体１の前面右端側前方に位置してグリップとなるグリップ部２ｂとが一体にして構成されるもので、フラット部２ａの上面には、三脚ネジ２１、位置決めピン２２、コネクタ部（図示せず）が設けられている。
【００２１】
また、グリップ部２ｂの上端面には、この増設ユニット２をカメラ本体１に装着することで操作しずらくなってしまう上記レリーズスイッチ１７に代えて、撮影を指示するための同様のレリーズスイッチ２３が配設される。
【００２２】
増設ユニット２の位置決めピン２２をカメラ本体１底面の位置決め穴に勘合させた状態で、フラット部２ａ底面側にあるつまみ（図示せず）を締付けて三脚ネジ２１をカメラ本体１底面の三脚穴に螺合させると、増設ユニット２をカメラ本体１に装着することができ、当接された両コネクタ部を介して、増設ユニット２がカメラ本体１の記録媒体及び電源の容量を増大するためのユニットとして機能するようになる。
【００２３】
増設ユニット２のフラット部２ａには、大容量記録媒体としてのハードディスク装置と電子回路部とが内蔵される一方、グリップ部２ｂには大型バッテリが内蔵されるもので、この電子カメラ携帯使用時にユーザが把持するグリップ部２ｂ内に重量物である大型バッテリを内蔵することにより、体感的な重量バランスを損なわないようにしている。
【００２４】
次いで図２によりカメラ本体１及び増設ユニット２の回路構成を説明する。
【００２５】
カメラ本体１において、記録モード時に被写体の光像が光学レンズ系３１によってＣＣＤ３２上に結像される。このＣＣＤ３２の出力がＡ／Ｄ変換器３３で各画素単位でデジタル化された後にバッファメモリ３４に送られる。
【００２６】
このバッファメモリ３４は、ビットマップ形式の画像データを複数コマ分蓄えておくもので、ここに蓄えられた個々の画像データは随時、画像処理部３５で所定のファイル形式、例えばＪＰＥＧに基づいてデータ圧縮が施されてファイル化され、その後にメモリ制御回路３６に送られて、この電子カメラ６の記録媒体である、着脱自在に装着されるメモリカード３７に書込まれる。
【００２７】
このとき、バッファメモリ３４から表示部３９へも画素数を大幅に減少した画像データが読出され、表示部３９はこの画像データに基づいて上記カメラ本体１背面に設けられる電子ビューファインダとしてのＴＦＴ−ＬＣＤパネルを表示駆動して、ＣＣＤ３２で撮像されている内容をリアルタイムで表示させる。
【００２８】
一方、再生モード時には、メモリカード３７に記録されている画像データのファイルがメモリ制御回路３６により選択的に読出され、画像処理部３５で上記圧縮処理とは反対の手順で伸長されてビットマップ形式に展開された後にバッファメモリ３４に蓄えられる。
【００２９】
このバッファメモリ３４に蓄えられた画像データが表示部３９に読出され、表示部３９はこの画像データに基づいてＴＦＴ−ＬＣＤパネルを表示駆動することで、記録した画像の再生表示を行なわせる。
【００３０】
しかして、上記ＣＣＤ３２、Ａ／Ｄ変換器３３、バッファメモリ３４、画像処理部３５、メモリ制御回路３６、及び表示部３９の動作をすべて制御部３８が統括制御する。
【００３１】
この制御部３８は、カメラ本体１の全回路の動作制御を行なうもので、またユニット装着検出スイッチ４０、キー入力部４１、ＩＥＥＥ１３９４インタフェース（Ｉ／Ｆ）（以下文中では単に「インタフェース」と略称する）４２、ガイドパネル１８、及び充電制御部４３とも接続され、これらを制御する。
【００３２】
ユニット装着検出スイッチ４０は、上述したカメラ本体１底面の位置決め穴に対して設けられ、増設ユニット２装着による上記位置決めピン２２の挿入を検出するためのスイッチである。
【００３３】
キー入力部４１は、上記レリーズスイッチ１７、各種モードスイッチ１９と電源スイッチ等を含み、その操作信号を直接上記制御部３８へ送出する。
【００３４】
ガイドパネル１８は、制御部３８からの駆動制御信号に基づいて上述した如くこのカメラ本体１の各種動作状態を表示出力する。
【００３５】
インタフェース４２は、増設ユニット２をカメラ本体１に装着した場合に主として画像データの送受を行なうためのもので、ＩＥＥＥ１３９４規格に則って静止画あるいは動画の画像データファイルを増設ユニット２に送出して保存させ、あるいは増設ユニット２から送られてきた画像データファイルを制御部３８に送出して表示部３９で表示出力させる。
【００３６】
充電制御部４３は、二次電池でなるこのカメラ本体１のバッテリ４４を接続し、その充電状態を制御すると共に、バッテリ４４からカメラ本体１内の他の各回路への電力供給を行なう。
【００３７】
一方、増設ユニット２は、カメラ本体１とのデータ通信のためのＩＥＥＥ１３９４インタフェース（Ｉ／Ｆ）５１、この増設ユニット２全体の動作制御を司る制御部５２、大容量媒体としてのハードディスク装置（ＨＤＤ）５３、上記レリーズスイッチ２３を含むキー入力部５４、充電制御部５５、及び二次電池でなる大容量バッテリ５６を有する。
【００３８】
制御部５２は、ハードディスク装置５３の空き容量をチェックし、インタフェース５１を介してカメラ本体１から送られてくる画像データをハードディスク装置５３に書込ませ、またハードディスク装置５３から読出されてくる画像データをインタフェース５１を介してカメラ本体１へ送信し、さらにキー入力部５４を構成する上記レリーズスイッチ２３が操作された際にはその操作信号も上記インタフェース５１を介してカメラ本体１へ送信させる。
【００３９】
ハードディスク装置５３は、例えば１ＭＢ程度の容量を有し、制御部５２により画像データファイルの書込み及び読出しがなされる。
【００４０】
充電制御部５５は、二次電池でなるこの増設ユニット２の大容量バッテリ５６を接続し、その充電状態を制御すると共に、大容量バッテリ５６から増設ユニット２内の他の各回路及びカメラ本体１への電力供給を行なう。
【００４１】
次に上記実施の形態の動作として、増設ユニット２をカメラ本体１に装着する際の処理について説明する。
【００４２】
図３は、カメラ本体１の電源がオンの状態で増設ユニット２を装着した場合には直ちに、またカメラ本体１の電源がオフの状態で増設ユニット２を装着した場合には次の電源オン直後に、主としてカメラ本体１の制御部３８が行なう処理内容を示すものであり、その当初にはユニット装着検出スイッチ４０からの信号があるか否かにより増設ユニット２の装着を待機する（ステップＡ０１）。
【００４３】
そして、増設ユニット２の装着があったことをユニット装着検出スイッチ４０からの信号により判断すると、次に増設ユニット２の制御部５２に対してハードディスク装置５３の空き容量をチェックさせ、そのチェック結果を受取る（ステップＡ０２）。
【００４４】
こうしてハードディスク装置５３の空き容量をチェックした制御部５２は、その時点でメモリカード３７に記録している全画像データファイルの容量と比較し、メモリカード３７の全画像データファイルの容量がハードディスク装置５３の空き容量以下であるか否かにより、メモリカード３７に記録している全画像データファイルを増設ユニット２のハードディスク装置５３に転送することが可能であるかどうかを判断する（ステップＡ０３）。
【００４５】
ここで、メモリカード３７の全画像データファイルの容量がハードディスク装置５３の空き容量より大きく、メモリカード３７の全画像データファイルをハードディスク装置５３に転送することができないと判断した場合には、表示部３９での表示を行なっている際にはこの表示部３９で例えば
「増設ユニットの空き要求が足りず、カメラ側の画像ファイルを転送することができません」
等のガイドメッセージを表示し、また表示部３９の表示を行なっていない際にはガイドパネル１８で、例えばハードディスク装置５３を模したドラム型の表示セグメントを点滅表示させるなどしてハードディスク装置５３の空き容量が足りないことを報知し（ステップＡ１０）、一旦この処理を終了する。
【００４６】
また、上記ステップＡ０３でメモリカード３７の全画像データファイルの容量がハードディスク装置５３の空き容量以下であり、メモリカード３７の全画像データファイルをハードディスク装置５３に転送することができると判断した場合には、表示部３９の表示を行なっている際には、直ちにメモリ制御回路３６によりメモリカード３７に記録されている全画像データファイルを順次読出させ、インタフェース４２を介して増設ユニット２側へ読出した画像データファイルを転送してハードディスク装置５３に保存させる（ステップＡ０４）。
【００４７】
このとき、表示部３９での表示を行なっている際には同時にこの表示部３９で例えば
「ただいまメモリカードの画像ファイルを増設ユニットに転送してします」
等のガイドメッセージを表示し、また表示部３９の表示を行なっていない場合にはガイドパネル１８で、メモリカード３７を模したカード型の表示セグメント、ハードディスク装置５３を模したドラム型の表示セグメント、及び該カード型のセグメントとドラム型のセグメント間に位置した、ドラム型のセグメント方向の矢印セグメントを一括して点滅表示させるなどして転送中であることを報知しながら、転送が終了するのを待機する（ステップＡ０５）。
【００４８】
そして、転送が終了し、メモリカード３７に記録して一体全ての画像データファイルを増設ユニット２のハードディスク装置５３に転送し終えたと判断した時点で、転送中にデータエラーを生じたか否か、すなわちハードディスク装置５３への転送が確実に行なわれたか否かを判断する（ステップＡ０６）。
【００４９】
ここで、転送中にエラーが発生したと判断した場合には、上記転送処理でハードディスク装置５３に新たに保存した領域の画像データファイルを全て一旦消去処理すると共に（ステップＡ０９）、表示部３９での表示を行なっている際には同時にこの表示部３９で例えば
「増設ユニットへの転送でエラーが発生しました
もう一度増設ユニットを装着し直してください」
等のガイドメッセージを表示し、また表示部３９の表示を行なっていない際にはガイドパネル１８で、メモリカード３７を模したカード型の表示セグメントとハードディスク装置５３を模したドラム型の表示セグメントとの間の、ドラム型のセグメント方向の矢印セグメントに重畳して「×」の表示セグメントを点滅表示させるなどして、転送が失敗したことを報知し（ステップＡ１０）、一旦この処理を終了して再び増設ユニット２が装着し直されるのを待機する。
【００５０】
また、上記ステップＡ０６で転送中にデータエラーを生じず、ハードディスク装置５３への転送が確実に行なわれたと判断した場合には、表示部３９での表示を行なっている際にはこの表示部３９で例えば
「メモリカードから増設ユニットへの画像ファイルの転送が完了しました
メモリカードをクリアします」
等のガイドメッセージを表示し、また表示部３９の表示を行なっていない際にはガイドパネル１８で、上記ステップＡ０４，Ａ０５の表示状態からハードディスク装置５３を模したドラム型の表示セグメントのみを点滅表示させるなどして、転送が完了したこと、及びメモリカード３７の内容を一括消去することを報知する（ステップＡ０７）。
【００５１】
その後、メモリ制御回路３６によりメモリカード３７の全領域を一括して消去し（ステップＡ０８）、新たな画像データファイルの撮影に備えた状態として、以上でこの処理を終了する。
【００５２】
このように、カメラ本体１への増設ユニット２の装着に際して、自動的にメモリカード３７の記録している画像データファイルを増設ユニット２の大容量媒体であるハードディスク装置５３に転送し、確実に転送されたことを確認した上でメモリカード３７の記録内容を一括消去するようにしたため、メモリカード３７の記録内容を保護しながら、直ちにメモリカード３７を用いた次の撮影に対する準備も可能となる。
【００５３】
なお、上記図３ではカメラ本体１に増設ユニット２を装着する際にのみ、メモリカード３７の記録内容をハードディスク装置５３に転送するものとして説明したが、カメラ本体１に増設ユニット２を装着した後も、カメラ本体１の電源がオンされている状態で一定周期、例えば１０分毎にメモリカード３７の空き容量をチェックし、一定量、例えば２ＭＢを下回っている場合には同様にメモリカード３７の記録内容をハードディスク装置５３に転送させるものとしてもよい。
【００５４】
図４は増設ユニット２を装着しているカメラ本体１の制御部３８が電源オン状態で撮影処理とは別に、周期的に実施する処理であり、その当初には所定の時間周期が経過するのを待機する（ステップＢ０１）。
【００５５】
そして、所定の周期が経過すると判断すると、次にメモリ制御回路３６によりメモリカード３７の空き容量をチェックし（ステップＢ０２）、その空き容量が予め定めた一定値以下であるか否かにより、メモリカード３７の記録内容をハードディスク装置５３へ転送する必要があるかどうかを判断する（ステップＢ０３）。
【００５６】
ここで、メモリカード３７の空き容量が一定値より大きい場合には、まだメモリカード３７の記録内容をハードディスク装置５３へ転送する必要はないものと判断して、以上でこの処理を終了し、上記ステップＢ０１に戻って、次の周期となるのを待機する。
【００５７】
また、メモリカード３７の空き容量が一定値以下である場合には、転送先の増設ユニット２の制御部５２に対してハードディスク装置５３の空き容量をチェックさせ、そのチェック結果を受取る（ステップＢ０４）。
【００５８】
こうしてハードディスク装置５３の空き容量をチェックした制御部５２は、その時点でメモリカード３７に記録している全画像データファイルの容量と比較し、メモリカード３７の全画像データファイルの容量がハードディスク装置５３の空き容量以下であるか否かにより、メモリカード３７に記録している全画像データファイルを増設ユニット２のハードディスク装置５３に転送することが可能であるかどうかを判断する（ステップＢ０５）。
【００５９】
ここで、メモリカード３７の全画像データファイルの容量がハードディスク装置５３の空き容量より大きく、メモリカード３７の全画像データファイルをハードディスク装置５３に転送することができないと判断した場合には、表示部３９での表示を行なっている際にはこの表示部３９で例えば
「増設ユニットの空き要求が足りず、カメラ側の画像ファイルを転送することができません」
等のガイドメッセージを表示し、また表示部３９の表示を行なっていない際にはガイドパネル１８で、例えばハードディスク装置５３を模したドラム型の表示セグメントを点滅表示させるなどしてハードディスク装置５３の空き容量が足りないことを報知し（ステップＢ１３）、一旦この処理を終了仕手、上記ステップＢ０１からの処理に戻る。
【００６０】
また、上記ステップＢ０５でメモリカード３７の全画像データファイルの容量がハードディスク装置５３の空き容量以下であり、メモリカード３７の全画像データファイルをハードディスク装置５３に転送することができると判断した場合には、表示部３９の表示を行なっている際には、直ちにメモリ制御回路３６によりメモリカード３７に記録されている全画像データファイルを順次読出させ、インタフェース４２を介して増設ユニット２側へ読出した画像データファイルを転送してハードディスク装置５３に保存させる（ステップＢ０６）。
【００６１】
このとき、表示部３９での表示を行なっている際には同時にこの表示部３９で例えば
「ただいまメモリカードの画像ファイルを増設ユニットに転送してします」
等のガイドメッセージを表示し、また表示部３９の表示を行なっていない場合にはガイドパネル１８で、メモリカード３７を模したカード型の表示セグメント、ハードディスク装置５３を模したドラム型の表示セグメント、及び該カード型のセグメントとドラム型のセグメント間に位置した、ドラム型のセグメント方向の矢印セグメントを一括して点滅表示させるなどして転送中であることを報知しながら、転送が終了するのを待機する（ステップＢ０７）。
【００６２】
そして、転送が終了し、メモリカード３７に記録して一体全ての画像データファイルを増設ユニット２のハードディスク装置５３に転送し終えたと判断した時点で、転送中にデータエラーを生じたか否か、すなわちハードディスク装置５３への転送が確実に行なわれたか否かを判断する（ステップＢ０８）。
【００６３】
ここで、転送中にエラーが発生したと判断した場合には、上記転送処理でハードディスク装置５３に新たに保存した領域の画像データファイルを全て一旦消去処理すると共に（ステップＢ１１）、表示部３９での表示を行なっている際には同時にこの表示部３９で例えば
「増設ユニットへの転送でエラーが発生しました
もう一度増設ユニットを装着し直してください」
等のガイドメッセージを表示し、また表示部３９の表示を行なっていない際にはガイドパネル１８で、メモリカード３７を模したカード型の表示セグメントとハードディスク装置５３を模したドラム型の表示セグメントとの間の、ドラム型のセグメント方向の矢印セグメントに重畳して「×」の表示セグメントを点滅表示させるなどして、転送が失敗したことを報知し（ステップＢ１２）、一旦この処理を終了して上記ステップＢ０１からの処理に戻り、ハードディスク装置５３の記録内容がユーザにより整理されるのを待機する。
【００６４】
また、上記ステップＢ０８で転送中にデータエラーを生じず、ハードディスク装置５３への転送が確実に行なわれたと判断した場合には、表示部３９での表示を行なっている際にはこの表示部３９で例えば
「メモリカードから増設ユニットへの画像ファイルの転送が完了しました
メモリカードをクリアします」
等のガイドメッセージを表示し、また表示部３９の表示を行なっていない際にはガイドパネル１８で、上記ステップＢ０６，Ｂ０７の表示状態からハードディスク装置５３を模したドラム型の表示セグメントのみを点滅表示させるなどして、転送が完了したこと、及びメモリカード３７の内容を一括消去することを報知する（ステップＢ０９）。
【００６５】
その後、メモリ制御回路３６によりメモリカード３７の全領域を一括して消去し（ステップＢ１０）、新たな画像データファイルの撮影に備えた状態として、以上でこの処理を終了する。
【００６６】
このように、増設ユニット２がカメラ本体１に継続して装着されている状態でも、メモリカード３７での画像データファイルの記録容量が一定値を超える場合には定期的にその内容をハードディスク装置５３に転送させることにより、増設ユニット２の装着直後のみならず、装着した後にも継続してメモリカード３７をより有効に活用することができる。
【００６７】
なお、上記実施の形態では、カメラ本体１に装着される増設ユニット２に大容量媒体としてのハードディスク装置５３を備えるものとして説明したが、これに限るものではなく、例えば光磁気ディスクを着脱可能な光磁気ディスク装置や多数の半導体固定メモリをアレイ状に配置したメモリセルアレイでもよい。
【００６８】
その他、本発明はその要旨を逸脱しない範囲内で種々変形して実施することが可能であるものとする。
【００６９】
【発明の効果】
請求項１記載の発明によれば、第２の記録媒体としてＨＤＤ等の大容量記録媒体を有した増設ユニットが接続されている状態で、第１の記録媒体であるメモリカードの記録容量が一定値を超える場合に定期的にその内容を第２の記録媒体に転送させることにより、増設ユニットを装着した後にも継続して第１の記録媒体をより有効に活用することができる。
【００７０】
請求項２記載の発明によれば、上記請求項１記載の発明の効果に加えて、直ちに第１の記録媒体を用いた次の撮影に対する準備ができる。
【図面の簡単な説明】
【図１】本発明の実施の一形態に係る電子カメラの外観構成を示す斜視図。
【図２】同実施の形態に係る電子回路の構成を示すブロック図。
【図３】同実施の形態に係る増設ユニット装着時の処理内容を示すフローチャート。
【図４】同実施の形態に係る増設ユニット装着後の処理内容を示すフローチャート。
【符号の説明】
１…カメラ本体
２…増設ユニット
２ａ…フラット部
２ｂ…グリップ部
１１…レンズ鏡筒
１２…光学ファインダ窓
１３…ＡＦ送光窓
１４…ＡＦ受光窓
１５…ストロボ発光部
１６…セルフタイマランプ
１７…レリーズスイッチ（ＳＷ）
１８…ガイドパネル
１９…各種モードスイッチ（ＳＷ）
２０…メモリカードスロットカバー
２１…三脚ネジ
２２…位置決めピン
２３…レリーズスイッチ
３１…光学レンズ系
３２…ＣＣＤ
３３…Ａ／Ｄ変換器
３４…バッファメモリ
３５…画像処理部
３６…メモリ制御回路
３７…メモリカード
３８…制御部
３９…表示部
４０…ユニット装着検出スイッチ
４１…キー入力部
４２…ＩＥＥＥ１３９４インタフェース（Ｉ／Ｆ）
４３…充電制御部
４４…バッテリ
５１…インタフェース
５２…制御部
５３…ハードディスク装置
５４…キー入力部
５５…充電制御部
５６…大容量バッテリ
【図１】
0003610263.tif 000002
【図２】
0003610263.tif 000003
【図３】
0003610263.tif 000004
【図４】
0003610263.tif 000005